(57)【要約】【課題】  海や川、湖沼などで水難事故が起きた場合に、浮き輪やゴムボートにつかまっているのは負担が大きく、最悪の場合手が離れて溺れてしまうおそれがある。本発明は、実質的に一方向にのみ係合力が発現する一方向フック面ファスナを用いることで、面ファスナによる係合が一方向において外れにくい救命装置を提供する。【解決手段】  第１の救命具２と、第２の救命具３と、を有し、第１の救命具２にはフック状係合素子４ｂを有する一方向フック面ファスナ４が備えられ、第２の救命具３にはループ状係合素子５ｂを有する全方向ループ面ファスナ５が備えられ、一方向フック面ファスナ４のフック状係合素子４ｂに全方向ループ面ファスナ５のループ状係合素子５ｂを係合させることで、第１の救命具２に第２の救命具３が保持される救命装置であって、前記フック状係合素子４ｂは、一方向フック面ファスナ４の基材４ａに所定の傾斜角度で編み込まれて、先端が一方向に向かっている。【選択図】  図１
2019014324.tif 000002
【特許請求の範囲】
【請求項１】
第１の救命具と、第２の救命具と、を有し、
第１の救命具にはフック状係合素子を有する一方向フック面ファスナが備えられ、
第２の救命具にはループ状係合素子を有する全方向ループ面ファスナが備えられ、
一方向フック面ファスナのフック状係合素子に全方向ループ面ファスナのループ状係合素子を係合させることで、第１の救命具に第２の救命具が保持される救命装置であって、
前記フック状係合素子は、一方向フック面ファスナの基材に所定の傾斜角度で編み込まれて、先端が一方向に向かっている救命装置。
【請求項２】
第１の救命具は、浮き輪、ゴムボート、吊り下げロープの中から選択される請求項１に記載の救命装置。
【請求項３】
第２の救命具は、救命ジャケットを含む請求項１に記載の救命装置。
【請求項４】
一方向フック面ファスナは、配置された状態でフック状係合素子の先端が上方に向かっている請求項１に記載の救命装置。
【請求項５】
一方向フック面ファスナが浮き輪の内側面と外側面に配置される請求項１に記載の救命装置。
【請求項６】
一方向フック面ファスナがゴムボートの外側面に配置される請求項１に記載の救命装置。
【請求項７】
一方向フック面ファスナが吊下げロープの全周面に配置される請求項１に記載の救命装置。
【請求項８】
全方向ループ面ファスナが救命ジャケットの胸部付近に配置される請求項１に記載の救命装置。
【発明の詳細な説明】
【技術分野】
【０００１】
本発明は水難事故などの際に使用される救命装置に関する。
【背景技術】
【０００２】
海や川、湖沼などで水難事故が起きた場合には、浮き輪やゴムボートなどの利用、救命ジャケットの着用が有効となる（特許文献１，２参照）。しかしながら、救助されるまでに長時間を要するような場合、身体を水の中に沈めたまま、腕の力だけで浮き輪やゴムボートにつかまっているのは負担が大きく、次第に疲労が蓄積して腕に力が入らなくなり、最悪の場合浮き輪やゴムボートから手が離れて溺れてしまうおそれがある。
【先行技術文献】
【特許文献】
【０００３】
【特許文献１】特開２００５−３１９８５８号公報
【特許文献２】特開２００６−２７３３０３号公報
【発明の概要】
【発明が解決しようとする課題】
【０００４】
そこで本発明は、実質的に一方向にのみ係合力が発現する一方向フック面ファスナを用いることで、面ファスナによる係合が一方向において外れにくい救命装置を提供するものである。
【課題を解決するための手段】
【０００５】
本発明に係る救命装置は、第１の救命具と、第２の救命具と、を有する。第１の救命具にはフック状係合素子を有する一方向フック面ファスナが備えられ、第２の救命具にはループ状係合素子を有する全方向ループ面ファスナが備えられる。一方向フック面ファスナのフック状係合素子に全方向ループ面ファスナのループ状係合素子を係合させることで、第１の救命具に第２の救命具が保持される救命装置である。前記フック状係合素子は、一方向フック面ファスナの基材に所定の傾斜角度で編み込まれて、先端が一方向に向かっている。
【０００６】
また、本発明の一実施形態に係る救命装置では、第１の救命具は、浮き輪、ゴムボート、吊下げロープの中から選択される。また、第２の救命具は、救命ジャケットを含んでいる。
【０００７】
また、本発明の一実施形態に係る救命装置では、一方向フック面ファスナは、配置された状態でフック状係合素子の先端が上方に向かっている。
【発明の効果】
【０００８】
本発明に係る救命装置によれば、一方向フック面ファスナを備えた第１の救命具と、全方向ループ面ファスナを備えた第２の救命具とを有し、面ファスナ同士の密着による係合力が一方向の引張り力に対してのみ発現するのを利用することで、救命効果が発揮されるものとなる。
【図面の簡単な説明】
【０００９】
【図１】本発明に係る救命装置の救命原理を示す図であって、（ａ）は面ファスナ同士を互いに向い合わせた断面図、（ｂ）は面ファスナ同士を密着させた断面図である。
【図２】一方向フック面ファスナを備えた浮き輪の平面図である。
【図３】図２中、III−III断面図である。
【図４】水難者が浮き輪につかまっている状態を示す図である。
【図５】図４の要部拡大図である。
【図６】一方向フック面ファスナを備えたゴムボートの平面図である。
【図７】図６中、VII−VII断面図である。
【図８】水難者がゴムボートにつかまっている状態を示す図である。
【図９】図８の要部拡大図である。
【図１０】一方向フック面ファスナを備えた吊下げロープの側面図である。
【図１１】遭難者が吊下げロープで引き上げられる状態を示す図である。
【図１２】図１１の要部拡大図である。
【発明を実施するための形態】
【００１０】
以下、本発明に係る救命装置の実施形態を図面に基づいて詳細に説明する。なお、図面は、本発明の救命装置を模式的に表したものである。これらの実物の寸法および寸法比は、図面上の寸法および寸法比と必ずしも一致していない。また、重複説明は適宜省略させることがあり、同一部材には同一符号を付与することがある。さらに、本発明の技術的範囲は以下で説明する各実施の形態には限定されず、特許請求の範囲に記載された発明とその均等物に及ぶ点に留意されたい。
【００１１】
図１（ａ）（ｂ）には本発明に係る救命装置１の救命原理が示されている。救命装置１は第１の救命具２と、第２の救命具３と、を有する。第１の救命具２と第２の救命具３は分離可能である。第１の救命具２は、平板状の基材４ａと、基材４ａの表面に密集して編み込まれたフック状係合素子４ｂと、を有する一方向フック面ファスナ４を備えている。一方向フック面ファスナ４では、基材４の表面に編み込まれたほぼ全てのフック状係合素子４ｂが、基材４ａの表面に所定の傾斜角度で編み込まれて、先端が一方向に向かっている。図１に示したように、第１の救命具２を縦方向にして使用する際には、フック状係合素子４ｂの先端が上方に向かうように配置される。なお、フック状係合素子４ｂの先端が鉤形に形成されていてもよい。
【００１２】
一方、第２の救命具３は、平板状の基材５ａと、基材５ａの表面に密集して編み込まれたループ状係合素子５ｂと、を有する全方向ループ面ファスナ５を備えている。全方向ループ面ファスナ５では、基材４ａの表面に編み込まれたほぼ全てのループ状係合素子５ｂが全方向にランダムに向いている。
【００１３】
図１に示すように、第１の救命具２に第２の救命具３を密着させると、ループ状係合素子５ｂがフック状係合素子４ｂに係合する。この時の両者の係合力は、第１の救命具２から第２の救命具３を剥がす際の方向によって異なる。例えば、図１（ｂ）において、第２の救命具３に下向きの引張り力(矢印Ａ方向の力)が掛かった場合は、ループ状係合素子５ｂは、上向きのフック状係合素子４ｂにしっかりと係合する。そのため、両者間には強い係合力が発現して、第２救命具３が下方向にずれ動くことがなく、また両者が剥がれるようなこともない。一方、第２の救命具３に上向きの引張り力（矢印Ｂ方向の力）が掛かった場合は、フック状係合素子４ｂの先端からループ状係合素子５ｂが引き抜かれる方向となるので、両者間には弱い係合力が生じている。その結果、面ファスナ同士を容易に剥がすことができ、第２救命具３が第１救命具２から容易に分離される。さらに、第２の救命具３に横向きの引張り力（矢印Ｃ方向の力）が掛かった場合は、前記矢印Ａの力が掛かった場合と前記Ｂ方向の力が掛かった場合のほぼ中間の強さの係合力が発現する。
【００１４】
(第一実施形態)
図２乃至図５には、第１の救命具２を浮き輪１３に適用した場合の実施形態が示されている。この実施形態において、浮き輪１３の形状は膨らませた時にドーナツ形状となるものであるが、この形状に限定されるものではない。第１の救命具２は、浮き輪１３の外周面に一方向面ファスナ４を配置したものである。一方向フック面ファスナ４は、一つ一つが四角の小片からなる。それぞれの小片は四角の基材４ａと、基材４ａの表面に所定の傾斜角度で密集して編み込まれたフック状係合素子４ｂとを有する。そのため、フック状係合素子４ｂの先端は一方向に向かっている。フック状係合素子４ｂは、多数の小片が浮き輪１３の全周に亘って所定間隔に配置され、各基材４ａの裏面が浮き輪１３の外周面に貼付される。図３に示されるように、一方向フック面ファスナ４は、浮き輪１３を水平面１４上に置いて、水平面１４と平行に浮き輪１３を半分に切った時の上半面１５の内側面１５ａと外側面１４ｂにそれぞれ配置される。同様に、浮き輪１３の下半面１６にも内側面１６ａと外側面１６ｂにそれぞれ配置される。浮き輪１３の上半面１５及び下半面１６は曲面形状をしており、この曲面形状に沿って一方向フック面ファスナ４が配置される。一方向フック面ファスナ４は、浮き輪１３の上半面１５において、フック状係合素子４ｂの先端が上半面１５の中心に向かうように配置されている。また、一方向フック面ファスナ４は、浮き輪１３の下半面１６において、フック状係合素子４ｂの先端が下半面１６の中心に向かうように配置されている。そのため、第１の救命具２は、水面に着水したときに、水面に対してフック状係合素子４ｂの先端が常に上方に向かっている。
【００１５】
図４及び図５には、上記浮き輪１３を利用した救助手段が示されている。水難者６は第２の救命具である救命ジャケット７を着けている。救命ジャケット７の胸部付近にはループ状係合素子５ｂが密集して編み込まれた全方向ループ面ファスナ５が設けられている。水難者６が抱え込むようにして浮き輪１３につかまっている場合、救命ジャケット７の胸部付近のループ状係合素子５ｂと浮き輪１３の上半面１５の内側面１５ａに配置された一方向フック面ファスナ４のフック状係合素子４ｂとが密着して係合素子同士が係合する。そして、さらに、一方向フック面ファスナ４は、フック状係合素子４ｂの先端が上方に向かった状態で配置されているので、図４に示したように、水難者６の重力Ｇで示した方向の引張り力に対して大きな係合力が発現される。そのため、水難者６は浮き輪１３にしがみつかなくても、軽くつかまっているだけでも、水中に沈まないように確保されると共に、水難者６が浮き輪１３から手を離してしまったとしても、面ファスナが剥がれてしまうようなことがない。一方、水難者６を救助する際には、水難者６を浮き輪１３から引っ張り上げるだけで、水難者６を浮き輪１３から容易に引き出すことがことができる。フック状係合素子４ｂの先端の方向とほぼ同じ方向にループ状係合素子５ｂを引き抜くので、容易に面ファスナの係合を外すことができる。そのため、水難者６を素早く救助することができる。
【００１６】
(第二実施形態)
図６乃至図９には、第１の救命具２をゴムボート１７に適用した場合の実施形態が示されている。この実施形態において、ゴムボート１７は膨らませた時に小型ボートと同様、一方の先端が少し尖っている形状であるが、この形状に限定されるものではない。第１の救命具２は、ゴムボート１７の外周面の縁に沿って一方向フック面ファスナ４を配置したものである。一方向フック面ファスナ４は、第一実施形態と同様、一つ一つが四角の小片からなる。それぞれの小片は四角の基材４ａと、基材４ａの表面に所定の傾斜角度で密集して編み込まれたフック状係合素子４ｂとを有する。そのため、フック状係合素子４ｂの先端は一方向に向かっている。フック状係合素子４ｂは、多数の小片がゴムボート１７の全周に亘って所定間隔に配置され、各基材４ａの裏面がゴムボート１７の外周面に貼付される。一方向フック面ファスナ４は、ゴムボート１７の上面から外側面にかけて、いわゆるゴムボート１７の縁１７ａと言われる部分に配置される。ゴムボート１７内では溺れる心配がない。したがって、一方向フック面ファスナ４は、ゴムボート１７の内側面には配置されない。一方向フック面ファスナ４は、フック状係合素子４ｂの先端がゴムボート１７の上方に向かうように配置されている。
【００１７】
図８及び図９には、上記ゴムボート１７を利用した救助手段が示されている。第１実施形態同様、水難者６は第２の救命具３である救命ジャケット７を着けている。救命ジャケット７の胸部付近にはループ状係合素子５ｂが密集して編み込まれた全方向ループ面ファスナ５が設けられている。水難者６が抱え込むようにしてゴムボート１７の縁１７ａにつかまっている場合、浮き輪１３の場合と同様、救命ジャケット７の胸部付近のループ状係合素子５ｂとゴムボート１７のフック状係合素子４ｂとが密着して係合素子同士が係合する。そして、さらに、一方向フック面ファスナ４は、フック状係合素子４ｂの先端が上方に向かった状態で配置されているので、図８に示したように、水難者６の重力Ｇで示した方向の引張り力に対して大きな係合力が発現される。そのため、水難者６はゴムボート１７にしがみつかなくても、軽くつかまっているだけでも、水中に沈まないように確保されると共に、水難者６がゴムボート１７の縁１７ａから手を離してしまったとしても、面ファスナが剥がれてしまうようなことがない。
【００１８】
(第三実施形態)
図１０乃至図１２には、第１の救命具２を吊下げロープ１８に適用した場合の実施形態が示されている。この実施形態において、吊下げロープ１８には、例えば登山用、救難用として利用される太手のナイロン素材のロープを使用することができるが、特にこれに限定されるものではない。第１の救命具２は、吊下げロープ１８の全周面にテープ状の一方向フック面ファスナ４’を巻いたものである。一方向フック面ファスナ４’は、テープ状の基材４ａ’と、基材４ａ’の表面に密集して編み込まれたフック状係合素子４ｂ’とを有する。全てのフック状係合素子４ｂ’は、基材４ａ’の表面に所定の傾斜角度で編み込まれている。そのため、全てのフック状係合素子４ｂ’の先端は一方向を向いている。このようなフック状係合素子４ｂ’を有するテープ状の一方向フック面ファスナ４’を吊下げロープ１８の全周面に螺旋状に巻付けることで、一方向フック面ファスナ４’によって表面が被覆された吊下げロープ１８が完成する。図１０に示されるように、全てのフック状係合素子４ｂ’の先端は、吊下げロープ１８に対して上方に向かっている。
【００１９】
図１１及び図１２は、ヘリコプターで水難者６を吊上げて救助する際に、吊下げロープ１８に水難者６がぶら下がっている状態を示している。第１実施形態同様、水難者６は第２の救命具３である救命ジャケット７を着けている。救命ジャケット７の胸部付近にはループ状係合素子５ｂが密集して編み込まれた全方向ループ面ファスナ５が設けられている。水難者６は両手で吊下げロープ１８をつかんだまま身体をロープに寄せると、吊下げロープ１８の一方向フック面ファスナ４’に救命ジャケット７の胸部付近の全方向ループ面ファスナ５が密着して、フック状係合素子４ｂ’にループ状係合素子５ｂが係合する。そして、さらに、一方向フック面ファスナ４’は、フック状係合素子４ｂ’の先端が上方を向かった状態で配置されているので、図１１に示したように、水難者６の重力Ｇで示した方向の引張り力に対して大きな係合力が発現される。そのため、吊下げロープ１８にしがみつかなくても、水難者６は吊下げロープ１８に身体が密着した状態が保たれるため、安心感が得られてヘリコプターによる救助作業がスムーズに行なわれる。なお、図１１において、符号１９は水難者６の落下を防止するため、ヘリコプターから降ろされた補助ロープである。
【００２０】
本発明の第１救命具２及び第２救命具３が、上記の実施形態のものに限定されないことは勿論である。
【符号の説明】
【００２１】
１  救命装置
２  第１の救命具
３  第２の救命具
４  一方向フック面ファスナ
４’  テープ状の一方向フック面ファスナ
４ａ  基材
４ａ’  テープ状の基材
４ｂ，４ｂ’  フック状係合素子
５  全方向ループ面ファスナ
５ａ  基材
５ｂ  ループ状係合素子
６  水難者
７  救命ジャケット
１３  浮き輪
１４  水平面
１５  上半面
１５ａ  上半面の内側面
１５ｂ  上半面の外側面
１６  下半面
１６ａ  下半面の内側面
１６ｂ  下半面の外側面
１７  ゴムボート
１７ａ  ゴムボートの縁
１８  吊下げロープ
１９  補助ロープ
【図１】
2019014324.tif 000003
【図２】
2019014324.tif 000004
【図３】
2019014324.tif 000005
【図４】
2019014324.tif 000006
【図５】
2019014324.tif 000007
【図６】
2019014324.tif 000008
【図７】
2019014324.tif 000009
【図８】
2019014324.tif 000010
【図９】
2019014324.tif 000011
【図１０】
2019014324.tif 000012
【図１１】
2019014324.tif 000013
【図１２】
2019014324.tif 000014